(57)【要約】      （修正有）【課題】特定のビデオコンテンツにおいて、コンテンツの取得、カテゴライゼーション、発見、及びナビゲーションを可能にするシステム及び方法を提供する。【解決手段】デスクトップソフトウェアアプリケーション、インターネットファイル共有サービス、又は両方の組合せを利用する。アップロードコンポーネント及び地理ロケーション検出器を備えたビデオカメラなどの一体型コンテンツ検出器を含む。使用時には、ユーザは、ビデオクリップがユーザのカメラによって記録されたロケーションを示すマップを見ることができ、その結果、マップ上に重畳されたウィンドウ内で選択することによって何れのビデオも視聴することができる。旅行をマップ上に再構成することができ、種々のロケーションのビデオは、マップ及びマップオーバーレイと対話することによって見ることができる。【選択図】図１
2014195297.tif 000002
【特許請求の範囲】
【請求項１】
コンテンツを検出し、当該コンテンツを地理情報に関連付けるためのシステムであって、
ａ．コンテンツの項目を受信するよう構成された検出器と、
ｂ．前記コンテンツの項目に関する地理ロケーションに対応する情報を受信するよう構成された検出器と、
ｃ．前記コンテンツの項目を前記地理ロケーション情報に関連付けるよう構成された相関モジュールと、
ｄ．前記関連付けられたコンテンツの項目及び地理ロケーション情報をネットワーク上のリモートシステムに送信するよう構成されたアップロードコンポーネントと、
を含むシステム。
【請求項２】
前記コンテンツ検出器が、ビデオカメラ、スチールカメラ、又はマイクロフォンである、請求項１に記載のシステム。
【請求項３】
前記地理ロケーション情報検出器が、ＧＰＳ受信機又は携帯電話三角測量無線ベースのシステムである、
請求項１に記載のシステム。
【請求項４】
前記相関モジュールが、前記コンテンツの項目をメタタグ又はメタデータを使用して前記地理ロケーション情報に関連付ける、
請求項１に記載のシステム。
【請求項５】
前記アップロードコンポーネントが、無線送信機を更に含む、
請求項１に記載のシステム。
【請求項６】
前記ネットワークが、インターネットである、
請求項１に記載のシステム。
【請求項７】
コンテンツの項目を前記コンテンツの項目に関する地理情報に関連付けるための方法であって、
ａ．デバイスにおいてコンテンツの項目を受信する段階と、
ｂ．前記コンテンツの項目に関する地理ロケーション情報を前記デバイスにおいて受信する段階と、
ｃ．前記コンテンツの項目を前記地理ロケーション情報に関連付ける段階と、
ｄ．前記関連付けられたコンテンツの項目及び地理ロケーション情報をネットワーク上のリモートシステムにアップロードする段階と、
を含む方法。
【請求項８】
前記デバイスが、ビデオカメラ、スチールカメラ、又はマイクロフォンである、
請求項７に記載の方法。
【請求項９】
前記地理ロケーション情報を受信する段階が、ＧＰＳ受信機又は携帯電話三角測量無線ベースのシステムを使用して行われる、
請求項７に記載の方法。
【請求項１０】
前記関連付け段階が、前記地理ロケーション情報を包含するメタタグ又はメタデータを前記コンテンツの項目に関連付けられたファイルに帰属させることによって行われる、
請求項７に記載の方法。
【請求項１１】
前記アップロード段階が無線を用いて行われる、
請求項７に記載の方法。
【請求項１２】
前記関連付け段階が、コンテンツの項目が記憶される毎、定期的、又はこれらの組合せから成るグループから選択される方式で自動的に行われる、
請求項７に記載の方法。
【請求項１３】
前記アップロード段階が、コンテンツの項目が記憶される毎、ネットワーク接続が設定される毎、定期的、或いは前記の組合せから成るグループから選択される方式で自動的に行われる、
請求項７に記載の方法。
【請求項１４】
前記アップロード段階が、専用入力デバイスのユーザオペレーションによって手動で行われる、
請求項７に記載の方法。
【請求項１５】
前記ネットワークがインターネットである、
請求項７に記載の方法。
【請求項１６】
請求項７の方法をコンピュータに実行させるための命令を包含するコンピュータ可読媒体。
【請求項１７】
ディスプレイ及び選択デバイスを含むグラフィカルユーザインターフェースを有するコンピュータシステムにおいて、前記ディスプレイ上の関係付けられた地理ロケーション情報を有するコンテンツ項目を編成及び表示するメニューから提供及び選択する方法であって、
ａ．各々が地理ロケーションを表すメニューエントリのセットを前記メニューに対して検索する段階と、
ｂ．前記メニューエントリのセットを前記ディスプレイ上に表示する段階と、
ｃ．前記選択デバイスが前記メニューエントリのセットから選択されたメニューエントリをポイントしていることを示すメニューエントリ選択信号を受信する段階と、
ｄ．前記信号に応答して、前記地理ロケーションに対応するコンテンツ項目のセットを表示する段階と、
ｅ．前記選択デバイスが前記コンテンツ項目のセットから選択されたメニューエントリをポイントしていることを示すメニューエントリ選択信号を受信する段階と、
ｆ．前記信号に応答して、前記選択されたコンテンツ項目をレンダリングする段階と、
を含む方法。
【請求項１８】
前記グラフィカルユーザインターフェースが、ビデオカメラ、コンピュータ、ウェブベースのブラウザから成るグループから選択されたシステムの一部を形成する、
請求項１７に記載の方法。
【請求項１９】
前記メニューエントリのセットを前記ディスプレイに表示する段階が、各メニューエントリがその地理ロケーションに対応するロケーションに配置された状態で、前記メニューエントリのセットをマップ上に表示する段階を含む、
請求項１７に記載の方法。
【請求項２０】
各メニューエントリが、前記対応する地理ロケーション近傍の都市又は州の名前と共に表示される、
請求項１９に記載の方法。
【請求項２１】
前記表示されたメニューエントリ間に矢印を表示する段階を更に含み、前記矢印が、前記メニューエントリのタイムシーケンスを示す、
請求項１９に記載の方法。
【請求項２２】
前記メニューエントリのセットを前記ディスプレイ上に表示する段階が、前記メニューエントリのセットをリストで表示する段階を含む、
請求項１７に記載の方法。
【請求項２３】
前記コンテンツ項目が、ビデオクリップである、
請求項１７に記載の方法。
【請求項２４】
請求項１７の方法をコンピュータに実行させるための命令を包含するコンピュータ可読媒体。
【請求項２５】
コンテンツの項目をグループと共有する方法であって、
ａ．少なくとも１人のメンバーを有する共有グループを作成する段階と、
ｂ．コンテンツの項目をデバイスにおいて受信し、前記コンテンツの項目に関する地理ロケーション情報を前記デバイスにおいて受信して、前記コンテンツの項目を前記地理ロケーション情報に関連付ける段階と、
ｃ．前記関連付けられたコンテンツの項目及び地理ロケーション情報をネットワーク上のリモートシステムにアップロードする段階と、
ｄ．前記アップロードされたコンテンツの項目について前記共有グループの各メンバーに通知する段階と、
を含む方法。
【請求項２６】
前記通知ステップが、前記アップロードされた項目について前記共有グループの各メンバーにインスタントメッセージ又は電子メールを送信することによって達成される、
請求項２５に記載の方法。
【請求項２７】
前記インスタントメッセージ又は電子メールが、クリック時に前記コンテンツの項目を表示するクリック可能リンクを包含する、
請求項２６に記載の方法。
【請求項２８】
前記コンテンツの項目が、マップの上に重畳されたビデオとして表示される、
請求項２７に記載の方法。
【請求項２９】
共有グループを作成する前記段階が、少なくとも１つの連絡先を共有グループリストに入力する段階、又は連絡先を決定するためにパーソナル情報マネージャを分析する段階を含む、
請求項２５に記載の方法。
【請求項３０】
前記インスタントメッセージ又は電子メールが、コンテンツ項目がアップロードされたときは常に自動的に送信される、
請求項２６に記載の方法。
【請求項３１】
請求項２５の方法をコンピュータに実行させるための命令を包含するコンピュータ可読媒体。
【請求項３２】
コンテンツの項目をグループと共有する方法であって、
ａ．少なくとも１人のメンバーを有する共有グループを作成する段階と、
ｂ．コンテンツの項目をデバイスにおいて受信し、前記コンテンツの項目に関する地理ロケーション情報を前記デバイスにおいて受信して、前記コンテンツの項目を前記地理ロケーション情報に関連付ける段階と、
ｃ．前記関連付けられたコンテンツの項目及び地理ロケーション情報をネットワーク上のリモートシステムにアップロードする段階と、
ｄ．前記アップロードされたコンテンツの項目について前記共有グループの各メンバーに通知する段階と、
ｅ．前記共有グループのメンバーが、前記アップロードされたコンテンツの項目にアクセスを試みるときに、
ｉ．各々が地理ロケーションを表すエントリのセットを検索する段階と、
ｉｉ．前記エントリのセットをディスプレイ上に表示する段階と、
ｉｉｉ．前記選択デバイスが前記エントリのセットから選択されたエントリをポイントしていることを示すエントリ選択信号を受信する段階と、
ｉｖ．前記信号に応答して、前記地理ロケーションに対応するコンテンツ項目のセットを表示する段階と、
ｖ．前記選択デバイスが前記コンテンツ項目のセットから選択されたエントリをポイントしていることを示すエントリ選択信号を受信する段階と、
ｖｉ．前記信号に応答して、前記選択されたコンテンツ項目をレンダリングする段階と、
を含む方法。
【発明の詳細な説明】
【技術分野】
【０００１】
本発明は、コンテンツの記録、記録されたコンテンツの地理ロケーションタグ付け、及び記録及びタグ付けされたコンテンツの共有に関する。
【背景技術】
【０００２】
従来技術の参照は、ＧＰＳビデオマッピングシステムを開示すること、並びに地理ポジショニングデータの作成、アクセス、及び共有を行うために無線デバイスを使用するシステムを開示することを目的としている。他の従来技術の参照は、デジタルカメラによって撮影された写真又はビデオクリップにポジションスタンプするためのロケーションタグ付けデータ提供及び表示システム、並びに方法を開示することを目的としている。
【発明の概要】
【発明が解決しようとする課題】
【０００３】
しかしながら、このような従来技術の開示事項には種々の欠点がある。例えば、これらには、均一なフル装備システムの利便性及び携帯性が不足している。更にこれらには、ウェブベースの共有機能を含む好都合な共有機能が不足している。
【課題を解決するための手段】
【０００４】
コンテンツファイルと地理的データを組み合わせ、これらのファイルを共有するためのシステム及び方法が提供される。この組み合わせを用いて、コンテンツファイルの編成、共有、ナビゲート及び再生を行うための拡張ユーザインターフェースを作成することができる。
【０００５】
１つの実施形態では、デジタルビデオカメラは、一般的には統合コンポーネントとして、地理的データのソース（ＧＰＳ受信機など）及びコンピュータへの接続と組み合わされる。カメラによって取り込まれたビデオクリップは、例えば、メタデータとして地理的データソースからの適切な地理ロケーションデータが手動又は自動でタグ付けされる。タグ付けされたビデオファイルは、使いやすいアップロードコンポーネントを介してコンピュータにアップロードされる。コンピュータへの接続は、サーバへのインターネット接続又はパーソナルコンピュータへの直接接続とすることができる。接続は、有線、又はＷｉＦｉなどの無線、或いは他のこのような接続とすることができる。インターネットへの無線接続を利用する実施形態では、タグ付けされたデータファイルは、使用可能な無線接続が取得され又は利用可能な場合は常に自動的にアップロードされる。
【０００６】
ユーザのコンピュータに常駐させることができ、或いはウェブベースとすることができる対応するソフトウェアアプリケーションは、ビデオクリップ及び地理データを使用して、インタラクティブユーザインターフェースを作成し、ビデオクリップをブラウズ及び視聴する。詳細は実施形態毎に異なるが、１つのこのようなユーザインターフェースは、ビデオファイルが取り込まれたロケーションに位置付けられたクリック可能リンクを備えたインタラクティブマップとして、或いはマップ上のロケーションに関連付けられたビデオファイルをエンドユーザが再生することができるインタラクティブマップとして表示される。また、本システムによって、ビデオクリップのタイムシーケンスの指示は、ポイント間の矢印などを介して表示可能にすることができる。このようにして、例えば旅行の再構成を適切な順番で並べることができる。リンクをクリックすることで、ビデオファイルをレンダリング又は再生する。リンクは、タイトル及び画像サムネイルなど、ビデオについての情報を包含することができる。例えば、ビデオ画像サムネイルは、マップ上に表示され、ビデオを再生するためにクリック可能である。
【０００７】
ウェブベース又は他の共有システムでは、ソフトウェアアプリケーションは、ビデオクリップを見ることができる人を１又はそれ以上の許可された人のグループにのみ制限することができ、或いはクリップを誰にでもアクセス可能にしておくことができる。上述のように、アプリケーションは、デスクトップにインストールされたソフトウェア又はウェブアプリケーションとすることができるが、カメラ上に常駐させることもできる（この場合、有線又は無線リンクがカメラをディスプレイモニターにリンクすることができる）。コンテンツファイルは、１又はそれ以上の許可されたグループにのみ制限することができるが、ウェブアプリケーションは、インターネットに接続するどの端末からもアクセス可能にすることができる。
【０００８】
コンテンツファイルの共有は、カメラ上の専用の物理的又はタッチスクリーンタイプのボタンを使用する「ワン−クリック」共有を介して達成することができる。代替の実施形態は、自動共有であり、例えば、カメラがインターネットに接続されたときは常に、ユーザトリガーなしにアップロード及び共有するものである。
【０００９】
１つの態様では、本発明は、コンテンツを検出して、当該コンテンツを地理情報に関連付けるためのデバイスを対象としている。本デバイスは、コンテンツの項目を受信するよう構成された検出器と、コンテンツの項目に関する地理ロケーションに対応する情報を受信するよう構成された検出器と、コンテンツの項目を地理ロケーション情報に関連付けるよう構成された相関モジュール、及び関連付けられたコンテンツの項目及び地理ロケーション情報をネットワーク上のリモートシステムに送信するよう構成されたアップロードコンポーネントを含む。
【００１０】
本発明の実施は、以下の１又はそれ以上を含むことができる。コンテンツ検出器は、ビデオカメラ、スチールカメラ、又はマイクロフォンとすることができる。地理ロケーション情報検出器は、ＧＰＳ受信機又は携帯電話三角測量無線ベースのシステムとすることができる。相関モジュールは、コンテンツの項目をメタタグ又はメタデータを使用して地理ロケーション情報に関連付けることができる。アップロードコンポーネントは、無線送信機を更に含むことができる。ネットワークはインターネットとすることができる。
【００１１】
別の態様では、本発明は、コンテンツの項目をコンテンツの項目に関する地理情報に関連付けるための方法を対象としている。本方法は、デバイスにおいてコンテンツの項目を受信する段階と、コンテンツの項目に関する地理ロケーション情報をデバイスにおいて受信する段階と、コンテンツの項目を地理ロケーション情報に関連付ける段階と、関連付けられたコンテンツの項目及び地理ロケーション情報をネットワーク上のリモートシステムにアップロードする段階とを含む。
【００１２】
本発明の実施は、以下の１又はそれ以上を含むことができる。関連付け段階は、自動又は手動で行うことができる。自動の場合、関連付け段階は、コンテンツの項目が記憶される毎、定期的、或いはこれらの組合せなどの方式で行うことができる。
【００１３】
アップロード段階は、自動又は手動で行うことができる。自動の場合、アップロード段階は、コンテンツの項目が記憶される毎、ネットワーク接続が設定される毎、定期的、或いはこれらの組合せで行うことができる。手動の場合、アップロード段階は、専用入力デバイスのユーザオペレーションで行うことができる。
【００１４】
別の態様では、本発明は、上記の方法をコンピュータに実行させるための命令を包含するコンピュータ可読媒体を対象としている。
【００１５】
更に別の態様では、本発明は、ディスプレイ及び選択デバイスを含むグラフィカルユーザインターフェースを有するコンピュータシステムにおいて、ディスプレイ上の関係のあるグラフィックロケーション情報を有するコンテンツ項目を編成及び表示するメニューから提供及び選択する方法を対象としている。本方法のステップは、各々が地理ロケーションを表すメニューエントリのセットをメニューに対して検索する段階と、ディスプレイ上にメニューエントリのセットを表示する段階と、選択デバイスがメニューエントリのセットからの選択されたメニューエントリをポイントしていることを示すメニューエントリ選択信号を受信する段階と、信号に応答して、地理ロケーションに対応するコンテンツ項目のセットを表示する段階と、選択デバイスがコンテンツ項目のセットからの選択されたメニューエントリを指すポイントしていることを示すメニューエントリ選択信号を受信する段階と、信号に応答して、選択されたコンテンツ項目をレンダリングする段階とを含む。
【００１６】
本発明の実施は、以下の１又はそれ以上を含むことができる。グラフィカルユーザインターフェースは、ビデオカメラ、コンピュータ、又はウェブベースのブラウザなどのシステムの一部を形成することができる。ディスプレイ上にメニューエントリのセットを表示する段階は、各メニューエントリがその地理ロケーションに対応するロケーションに配置された状態で、メニューエントリのセットをマップ上に表示する段階を含むことができる。各メニューエントリは、対応する地理ロケーション近傍の都市又は州の名前と共に表示することが。本方法は、メニューエントリのタイムシーケンスを指示する矢印を、表示されたメニューエントリ間に表示する段階を更に含むことができる。ディスプレイ上にメニューエントリのセットを表示する段階は、メニューエントリのセットをリストで表示する段階を含むことができる。コンテンツ項目は、ビデオクリップとすることができる。
【００１７】
関係のある態様では、本発明は、上記の方法をコンピュータに実行させるための命令を包含するコンピュータ可読媒体を対象としている。
【００１８】
別の態様では、本発明は、少なくとも１人のメンバーを有する共有グループを作成する段階と、デバイスにおいてコンテンツの項目を受信する段階と、コンテンツの項目に関する地理ロケーション情報をデバイスにおいて受信する段階と、コンテンツの項目を地理ロケーション情報に関連付ける段階と、関連付けられたコンテンツの項目及び地理ロケーション情報をネットワーク上のリモートシステムにアップロードする段階と、アップロードされたコンテンツの項目について共有グループの各メンバーに通知する段階とを含む、コンテンツの項目をグループと共有する方法を対象としている。
【００１９】
本発明の実施は、以下の１又はそれ以上を含むことができる。通知段階は、アップロードされた項目についてのインスタントメッセージ又は電子メールを共有グループの各メンバーに送信することによって達成することができ、インスタントメッセージ又は電子メールは、クリック時にコンテンツの項目を表示するクリック可能リンクを包含する。コンテンツの項目は、マップの上に重畳されたビデオとして表示することができる。共有グループを作成する段階は、少なくとも１つの連絡先を共有グループリストに入力する段階又は連絡先を決定するためにパーソナル情報マネージャを分析する段階を含むことができる。インスタントメッセージ又は電子メールは、コンテンツ項目がアップロードされたときは常に自動的に送信される。
【００２０】
関係のある態様では、本発明は、上記の方法をコンピュータに実行させるための命令を包含するコンピュータ可読媒体を対象としている。
【００２１】
別の態様では、本発明は、少なくとも１人のメンバーを有する共有グループを作成する段階と、デバイスでコンテンツの項目を受信し、デバイスでコンテンツの項目に関する地理ロケーション情報を受信して、コンテンツの項目を地理ロケーション情報に関連付ける段階と、関連付けられたコンテンツの項目及び地理ロケーション情報をネットワーク上のリモートシステムにアップロードする段階と、アップロードされたコンテンツの項目について共有グループの各メンバーに通知する段階とを含む、コンテンツの項目をグループと共有する方法を対象としている。共有グループのメンバーが、アップロードされたコンテンツの項目にアクセスを試みるときには、本方法の更なる段階は、各々が地理ロケーションを表すエントリのセットを検索する段階と、ディスプレイ上にエントリのセットを表示する段階と、選択デバイスがエントリのセットから選択されたエントリをポイントしていることを示すエントリ選択信号を受信する段階を含む。更なる段階は、信号に応答して、地理ロケーションに対応するコンテンツ項目のセットを表示する段階と、選択デバイスがコンテンツ項目のセットから選択されたエントリをポイントしていることを示すエントリ選択信号を受信する段階と、信号に応答して、選択されたコンテンツ項目をレンダリングする段階とを含む。
【００２２】
本発明の利点は、以下の１又はそれ以上を含むことができる。ロケーションデータを備えたコンテンツファイルは、コンピュータ、サーバ又は他のストレージに容易にアップロード可能である。ロケーションデータを備えたコンテンツファイルは、その地理ロケーションに対応するマップ上にサムネイル、アイコン又はテキスト表現の使用などによって、クリック可能なリンクとして表示された場合、ナビゲート可能であり、インタラクティブユーザインターフェースを介して見ることができる。本発明は、カメラユーザがジオ−データを備えたビデオを共有するため、及び他者がインターネットを通じてこのビデオを観るための使い易く好都合な手段を提供する。例えば、ファミリーメンバーは、別のファミリーメンバーによって行われた旅行のビデオを観ることができ、各ビデオが撮影された場所をマップ上で確認することができる。
【００２３】
他の利点は、図面及び請求項を含む以下の説明から明らかになるであろう。
【図面の簡単な説明】
【００２４】
【図１】本発明の第１の実施形態によるシステムの概略図である。
【図２】本発明の第２の実施形態によるマップベースのユーザインターフェースの一部を示す図である。
【図３】本発明の第３の実施形態によるコンテンツ項目及び地理ロケーション情報を取得しアップロードするための方法を示すフローチャートである。
【図４】本発明の第４の実施形態によるコンテンツ及び地理ロケーションデータを表示するための方法を示すフローチャートである。
【図５】本発明の第５の実施形態によるコンテンツ及び地理データを表示するための方法を示すフローチャートである。
【図６】コンテンツ及び地理ロケーションデータをユーザのグループと共有するための方法を示すフローチャートである。
【発明を実施するための形態】
【００２５】
本明細書で定義される以下の用語は、本明細書及び添付図全体を通して使用される。
【００２６】
コンテンツの項目又は地理ロケーション情報、或いはこれらの両方を「アップロードする」とは、アップロードコンポーネントが装備されたビデオカメラなどのデバイスからこのような情報を包含するファイルを転送する行為を指す。アップローディングは、無線を利用して達成されることが多いが、ＰＣ又はネットワークサーバに直接の有線接続を使用して達成することもできる。
【００２７】
データ又はファイルを「記憶する」とは、あるタイプのＲＡＭ或いはディスク又はカードベースのストレージなど、永久又は一時メモリ又はストレージにデータを配置する行為を指す。記憶するという行為は、極めて一時的なものとすることができる。例えば、データは、取得、バッファ内への記憶、及びアップロードを直ちに行うことができる。他方では、データは、例えばミニＤＶＤ上に無期限に記憶することができる。
【００２８】
「地理ロケーション」は、コンテンツデータが取得されたロケーション又はその近傍に対応する。「地理データ」は、地理ロケーションを構成するデータに対応する。地理ロケーション情報の実施例は、ＧＰＳシステムによって取得された緯度、経度、及び高度情報である。地理ロケーションはまた、この関連では、カメラの向き及び方位などの情報を指すことができる。「地理ロケーションの指示」とは、ユーザインターフェースに表示される地理情報についての簡易的表記を指す。例えば、地理情報の指示は、地理ロケーションを表すアイコン、緯度及び経度座標の表示、又は対応する市及び州の名前とすることができる。
【００２９】
「コンテンツ項目」は、検出器によって取得されたデータの集合を指す。一般的に、コンテンツ項目は、データの連続的シーケンス、例えばビデオカメラによって取得されたビデオクリップである。「コンテンツデータ」は、コンテンツ項目を構成する基礎をなすデータを指す。場合によっては、コンテンツ項目は、全てが単一の（又は隣接或いは近傍のセットの）地理ロケーションに対応する、１又はそれ以上の関係のあるビデオクリップを指す。「コンテンツ項目の指示」は、ユーザインターフェースにおいて表示されたコンテンツ項目について簡易的表記を指す。例えば、コンテンツ項目の指示は、コンテンツ項目を表すアイコン、サムネイル、又はファイル名とすることができる。コンテンツ項目はまた、オーディオファイル、デジタルスチール写真、又は同様のものとすることができる。
【００３０】
コンテンツ項目を地理ロケーションに「関連付ける」とは、あるものに対応するデータを他方のファイル内に配置するなどによって、互いを結び付ける行為を指す。例えば、コンテンツ項目を地理ロケーションに関連付けるとは、地理ロケーションについてのメタタグ又はメタデータをコンテンツ項目のファイルに配置することを指す。
【００３１】
「レンダリングする」とは、コンテンツの項目を再生する行為を指す。例えば、ビデオクリップであるコンテンツ項目をレンダリングするとは、ビデオクリップをメディアプレーヤーで再生することを意味する。メディアプレーヤーは、選択されたコンテンツタイプを再生できる何れかのコンテンツ再生デバイスとすることができる。
【００３２】
「共有グループ」は、共有されるファイルのターゲットオーディエンスである定められたユーザのグループを指す。共有グループは、通常はユーザによって定められ、そのユーザの友達のグループ又は他の定められた集団に対応する。共有グループはまた、ソーシャルネットワーキングサービスなど、別個のアプリケーションにおけるユーザ設定の分析などを介して自動的に構成することができる。共有グループはまた、例えば、Ｍｉｃｒｏｓｏｆｔ  Ｏｕｔｌｏｏｋ（登録商標）に記憶されるような連絡先情報を使用して、或いはインスタントメッセージアプリケーションにおけるバディリストを使用してユーザシステム上で作成することができる。共有グループはまた、別個に定めることができ、ユーザは、ソフトウェアアプリケーション又はウェブサイトを使用してこれらのグループに加わることができる。例えば、１つのこのような共有グループは、「Ｌａｋｅ  Ｔａｈｏｅ  Ｖｉｄｅｏｍａｋｅｒｓ」グループとすることができる。グループはまた、一人からなることができる。この場合、共有は、最初にグループを指定することなく実施することができる。例えば、共有は、グループのどのような形成もなしに種々の連絡先と実施することができる。この実施例では、友達が、ビデオにアクセスするリンクを備えた電子メールを受信することができる。
【００３３】
コンテンツ検出システム（例えばビデオカメラ）
図１を参照すると、本発明の第１の実施形態によるコンテンツ検出システム１０が示され、これは、アップロード機能を備えた一体型ビデオカメラシステムとすることができる。システム１０は、検出器１３を有するデジタルビデオカメラ１２を含み、この場合の検出器は、ビデオクリップを記録するためのレンズ及びマイクロフォンを含む。
【００３４】
システム１０は、地理情報の検出器１４を含む。地理情報検出器１４は、内蔵又は外付けとすることができるアンテナ１５を有することが多い。地理情報検出器１４は、例えば、ＧＰＳ受信機とすることができる。しかしながら、携帯電話三角測量無線ベースのシステム又は他のこのようなシステムを含む、代替の地理情報検出器を利用することができる。地理情報検出器１４は、通常、緯度及び経度などのデータを受信するが、高度データはまた、システム１０の方位及び向きに対応する情報と共に検索することができる。
【００３５】
システム１０は更に、ハードウェア、ソフトウェア、又はこれら両方の組合せで実装することができる相関モジュール１６を含む。相関モジュール１６は、コンテンツの項目をその関係のある地理情報に関連付ける。例えば、相関モジュール１６は、関係のある地理情報を指示するメタタグ又はメタデータをコンテンツ項目のファイルに配置することができる。この実施形態では、相関モジュールが、別個の回路又はアルゴリズムを必要としない、例えば、ハードウェア、ソフトウェア、ファームウェア、又は同様のものにおける別個の回路又はアルゴリズムとして実装される必要がない点に留意することが重要である。逆に、相関モジュールは、カメラファームウェアの一体部分を形成することができ、デジタルビデオファイルをローカルストレージにセーブするモジュールに一体化することができる。システム１０はまた、アップロードコンポーネント１８を組み込む。アップロードコンポーネント１８は、地理情報、コンテンツ項目、及びこれらのアソシエーションに対応するデータの送信を編成する。幾つかの実施形態では、以下に説明されるように、地理ロケーションデータがデジタルビデオファイルに配置される点に留意されたい。この場合、及びこれと同様の他の場合、アップロードはデータ自体となり、地理ロケーション情報又はアソシエーションデータの別々のアップロードは必ずしも存在しないことになる。アップロードコンポーネント１８は、アンテナ２２が利用できる場合には無線とすることができる。アンテナ１５と同様に、アンテナ２２は、内蔵又は外付けとすることができる。アップロードコンポーネント１８はまた、例えば、ＵＳＢ又は他のこのようなポートが提供することができる場合は、有線とすることができる。
【００３６】
無線構成では、アップロードは、無線アクセスポイント、無線コミュニティネットワーク、ＷｉＦｉホットスポット、又は何れかの他のこのような無線ネットワークに行うことができる。
【００３７】
ボタン１９又は他のユーザ操作可能なデバイスを設けて、これによってユーザが、関連付けられたコンテンツ及び地理情報を好都合にアップロード可能にすることができる。例えば、ボタン１９は、「ワン−クリック」アップロード機能を可能にすることができる。この場合、ボタンを押すことで、例えばネットワーク接続が利用可能である場合は常に、コンテンツファイルの全て又は一部を直ちにアップロードを行うようになる。ボタン１９はまた、バーチャルとすることができ、例えば、ボタン１９は、タッチスクリーン又はカメラの他のユーザインターフェース上のボタンとすることができる。例えば、カメラのＬＣＤ上で取り込まれたビデオクリップを見る場合、ビデオに対して使用可能なコマンドの１つを「共有オンライン」とすることができる。
【００３８】
或いは、システム１０は、特にＷｉＦｉ「ホットスポット」などの無線接続がセキュアでないネットワークである場合には、ネットワーク接続が設定されている場合は常に、例えば、無線接続が取得された場合は常に、関連付けられたコンテンツ及び地理情報を自動的にアップロードすることができる。
【００３９】
上述されたシステムコンポーネントは、シングルデバイス、すなわち、データアップロード機能を備えた単一のフル装備一体型ビデオカメラシステムに実装することができる。
【００４０】
使用時、システム１０は、ロケーションからロケーションに引き継がれ、各ロケーションにてコンテンツを撮影し、該コンテンツをサーバ又はパーソナルコンピュータにアップロードすることができる。本発明の第２の実施形態によるユーザインターフェースの一部を示し、これらのコンテンツを表示できる図２を参照すると、システム１０は、ロケーション２６からロケーション２８に引き継がれ、次にロケーション２８からロケーション３２に引き継がれ、同様にロケーション３４及びロケーション３６に引き継がれる。各々のケースでコンテンツを取得することができ、何れかのロケーションインジケータの選定によって、更にそのロケーションにおいて取得されたコンテンツに対するコンテンツインジケータの選択によって、後でコンテンツを見ることができる。図２に示される矢印などのインジケータは、コンテンツが取得されたときのタイム−シーケンスを示すのに利用することができる。このようにして、旅行を再構成でき、訪問したロケーションのシーケンスが分かる。
【００４１】
本発明の第３の実施形態による方法が、図３のフローチャートで示されている。本方法が開始し（ステップ３７）、コンテンツの項目が検出され、すなわち記録される（ステップ３８）。例えば、ビデオクリップが撮影される。コンテンツ項目に関する地理ロケーション情報が受信される（ステップ４２）。例えば、ＧＰＳデータを地理ロケーション情報として受信し使用することができる。地理ロケーション情報は、定期的に、連続的に、或いはユーザによって指定される任意の時間に取得することができる。
【００４２】
地理情報はまた、検出されたＩＰアドレス情報を使用することによって取得することができる。具体的には、ジオロケーションソフトウェアを利用して、ＩＰアドレスを調べ、どの国、団体、又はユーザに当該ＩＰアドレスが割り当てられているかを特定することができ、次いで、この情報に基づいてユーザのロケーションに関する推測を行うことができる。このような推測は、ユーザがインターネットに連続して接続されている場合には特に正確なものとなる。しかしながら、アップロードが、定期的にだけ、例えばビデオレコーディングの日の終わりにのみ行われる場合、推測された地理ロケーションは、各個々のレコーディングロケーションではなく、アップロードロケーションにのみ対応することになる。
【００４３】
次いで、コンテンツの項目が地理情報に関連付けられる（ステップ４４）。例えば、コンテンツ項目が取得された地理ロケーションを指示するために、メタデータがコンテンツ項目ファイルに追加される。別の実施例では、ペアになったポインタのセットが記憶され、１つのポインタは、コンテンツ項目を指し、そのペアは、地理情報のメモリ又はストレージロケーションを指す。別の実施例として、コンテンツ項目に対応するデータ及び地理ロケーション情報に対応するデータは、全く新しいデータファイルに組み合わせることができる。
【００４４】
アソシエーションは、自動又は手動で行うことができる。多くの場合、自動アソシエーションが行われ、システムが、各コンテンツ項目をその関係のあるロケーションデータに自動的に関連付けることになる。場合によっては、手動制御が望ましい場合があり、この場合、ユーザは、いつ地理情報をコンテンツ項目に添付するかを決定することができる。この代替形態は、ユーザがデータの「細分性」を制御したい場合に好ましい場合がある。例えば、ユーザは、１０マイル半径内で撮影された全てのビデオクリップを同じ中心都市に関連付けたい場合がある。同様に、上述のように、ユーザによる細分性セットの範囲内で自動アソシエーションが行われるハイブリッドアソシエーションを提供することができる。或いは、インタラクティブマップをカメラＬＣＤ上に表示し、ユーザがコンテンツ項目の正確なロケーションをピンポイントできるようにすることが可能である。
【００４５】
別の実施は、例えば、全てのコンテンツ項目が記録された後、又はアップロード時に、或いは表示時など、任意の時間に地理データをコンテンツ項目に関連付けることである。この実施を達成する１つの方法は、例えば１５分毎など定期的に、並びに地理情報が取得された時に地理情報を記録及び記憶することである。このようにして、コンテンツ項目は、記録及びタイムスタンプすることができる。アソシエーションが行われるときには、コンテンツ項目のタイムスタンプに時間的に最も近いタイムスタンプを有する地理ロケーション情報が、コンテンツ項目に関連付けられる。この実施の拡張において、外挿アルゴリズムを利用して、タイムスタンプが地理ロケーション情報のタイムスタンプ間にあるコンテンツ項目の地理ロケーションを推測又は概算することができる。
【００４６】
次にデータアソシエーションを記憶することができる（ステップ４６）。地理ロケーションについてのメタデータをコンテンツ項目に配置するなど、データの１つのセットを他のセットに配置することによりアソシエーションが行われる場合、何れかの余分な又は重複する地理ロケーションデータを廃棄することができる。例えば、地理ロケーションデータがコンテンツの項目内にメタデータとして記憶されていた場合、この地理ロケーションデータを別のストレージロケーションに保持する必要がない可能性がある。
【００４７】
コンテンツ検出システムからのコンテンツのアップロード
次のステップは、関連付けられたデータをアップロードすることである（ステップ４７）。このアップロードは、ＷｉＦｉ接続などの無線を介して、或いは、例えばコンピュータ又はネットワークへの直接又は間接的なＵＳＢケーブルなどのＰＣ接続といった有線リンクを介して行うことができる。ＷｉＦｉ接続の場合、接続は自動的に行うことができる。アップロードはまた、ＬＡＮ又はＷＡＮなどのネットワーク上で行うことができる。
【００４８】
アソシエーションと同様に、アップロードは、自動又は手動で行うことができ、前者は、システムがＷｉＦｉネットワークなどのネットワークに接続された場合は常に行われる可能性がある。幾つかのシステムでは、アップロードは、定期的に、例えば１５分毎など予め設定された時間期間後に行われる。他のシステムでは、アップロードは、手動で、例えばボタン１９のユーザ選択及び使用を介して行うことができる。データのアップロードは、全ての記憶されたコンテンツ項目に対して、或いは全ての記憶されたコンテンツ項目のサブセットだけに対して行うことができる。アップロードは、ユーザのコンピュータだけに直接行うことができ、或いはサーバに対して行うことができる。コンテンツ項目が地理情報メタデータを含むように関連付けられたデータが記憶されている場合、コンテンツ項目だけを記憶する必要がある。関連付けられたデータがペアポインタとして記憶されている場合、ペアポインタ、コンテンツ項目、及び地理情報の全てをアップロードすることができる。
【００４９】
コンテンツ及び地理情報をシュアするためのユーザインターフェース
図４を参照すると、関連付けられたデータを表示する方法を示すフローチャートが示されている。データを表示するユーザインターフェースの図が図２に示される。図４は、関連付けられたデータを受信する第１ステップ（ステップ４８）を示す。関連付けられたデータのこの受信は、コンテンツ項目がメタデータとして地理情報を含む場合のコンテンツ項目の受信とすることができ、或いは上述のように、ペアにされたポインタ、コンテンツ項目、及び地理情報などのデータを含むことができる。
【００５０】
取得されると、地理ロケーションが表示される（ステップ５２）。１つの実施では、ロケーションは、マップ上に位置付けられているものとして表示される。別の実施では、ロケーションは、ロケーションのリストとして表示される。ロケーションは、アイコン、都市名などのテキストデータ、サムネイル、緯度及び経度座標を介して、或いは他の手段を介して表示することができる。
【００５１】
次にユーザは、複数の表示された地理ロケーションの１つを選択することができる（ステップ５４）。選択されると、１つのコンテンツ項目だけが地理ロケーションに関連付けられている場合、コンテンツ項目は自動的にレンダリングすることができる。或いは、コンテンツ項目のインジケータを表示することができる。複数のコンテンツ項目が単一の地理ロケーションに関連付けられている場合、これらのコンテンツ項目のインジケータのセットが表示される（ステップ５６）。これらのインジケータは、サムネイル、アイコン、ファイル名、又は他のこのようなコンテンツインジケータとすることができる。ユーザによって選択されると（ステップ５８）、指示されたコンテンツ項目がレンダリングされる（ステップ６２）。レンダリングは、ビデオコンテンツのファイルタイプに適したメディアプレーヤーでビデオクリップを再生することによって行うことができる。ある実施形態では、再生は、ストリーミングビデオ再生であり、ここではビデオクリップコンテンツがネットワークサーバからストリーミングされる。
【００５２】
１つの例示的な実施形態では、ユーザは、あるロケーションでビデオコンテンツを記録し、これをアップロード又は共有することができる（ステップ７４）。次いで、共有グループのメンバーである場合又はメンバーでない場合がある、１人又はそれ以上の友達は、ビデオが視聴可能であるときには、電子メールメッセージ又はインスタントメッセージを受信する（ステップ７６）。１人又はそれ以上の友達は、メッセージのリンクをクリックしアクセスすることができる。次に、マップ様ユーザインターフェースは、指示されたビデオのロケーションと共に表示することができる（ステップ７８）。ビデオは、ユーザがユーザインターフェース上のロケーション又はアイコンをクリックする（ステップ８２）と再生を始めることができ（ステップ８４）、或いは、マップが表示されたときに直ちに再生を開始することが（ステップ８６）。１つの実施では、ビデオが表示される（ステップ８８）。１つの実施形態では、ビデオは、オーバーレイとしてマップ上に表示される。
【００５３】
代替の実施形態では、ユーザインターフェースは、ビデオカメラシステムの一部を形成することができ、この場合、ビデオカメラシステムは、コンピュータモニター又は適切に使用可能にされたテレビなどのディスプレイモニターへの有線又は無線リンクを有することができる。
【００５４】
しかしながら、より一般的には、ユーザインターフェースは、デスクトップアプリケーションの一部を形成するか、或いはウェブベース又は他のネットワークアプリケーションの一部を形成する。第１の場合には、ユーザは、関連付けられたデータを単一のパーソナルコンピュータにアップロードすることを選択することができ、この場合、ユーザインターフェースは、単一のデスクトップアプリケーションに付属する。第２の場合には、ユーザは、１又はそれ以上の共有グループがコンテンツファイルを見ることを要求することができる。この場合、図５を参照すると、ユーザは、適切なファイル共有ソフトウェアを使用して、或いはシステムに関連付けられた専用ソフトウェアアプリケーションを介して、関連付けられたデータをファイル共有サーバにアップロードすることができる（ステップ６４）。ファイル共有サーバは、当該関連付けられたデータを、図４及び５に関して上述のように提示されるように編成する（ステップ６６）。ステップ６６は、異なる種類のアプリケーション及びインターネットプラットフォームにビデオ配信する目的で、アップロードされたビデオファイルを１又はそれ以上の他のビデオファイルにトランスコードする段階を含むことができる点に留意されたい。
【００５５】
同じファイル共有ソフトウェア又は専用ソフトウェアアプリケーションを使用して、ユーザは、共有グループを定義することができる（ステップ６８）。多くの場合、この共有グループ定義ステップは、共有イベントの前に行われる。ユーザは、友達、家族、又は同僚などの１又はそれ以上のグループを定義することができ、全ての新しくアップロードされたビデオクリップを当該グループと自動的に共有するよう選択することができる。或いは、ユーザは、アップロードされたビデオをウェブアプリケーションを介してオンラインで１又はそれ以上のグループと共有するよう選択することができる。
【００５６】
次に、ファイル共有サーバに関連付けられたダウンロード可能なウェブアプリケーションを用いて、共有グループがユーザインターフェースによって表示されたファイル共有サーバ上の関連付けられたコンテンツ項目にアクセスし、これを見ることができるようにすることができる（ステップ７２）。或いは、ビューイングアプリケーションは、視聴者のコンピュータ上にソフトウェアがインストールされていない、完全にウェブベースのものとすることができる。
【００５７】
共有グループは、ユーザだけがビデオクリップにアクセスできるように、又は、共有グループが定義されていない場合にユーザだけがアクセスできるように、或いは幾つかの特定の視聴者だけがビデオクリップにアクセスできるように、或いはインターネットにアクセスできるコンピュータを使用する人は誰でもビデオクリップにアクセスできるように定義することができる。また、大きなビデオクリップ全体をダウンロードするか否かを決定する前に、見込み視聴者が小さなプレビュークリップをダウンロードするだけでよいように、ビデオクリップのプレビューを設けることができる。或いは、ビデオクリップは、別のビデオフォーマットに変換され、インターネットを通じてオンデマンドでストリーミングすることができる。
【００５８】
本発明の１つの実施は、ユーザインターフェース、ファイル共有サーバ、デスクトップ及びウェブベースアプリケーション、並びに共有されたファイルを提供するためなど、コンピュータ命令を記憶及び実行するための１又はそれ以上のプログラム可能プロセッサ及び対応するコンピュータシステムコンポーネントを含む。ユーザは、インターネットなどのネットワークにアクセスできるクライアントコンピュータを介してシステムにアクセスすることができる。
【００５９】
付加的な変形形態及び実施も可能である。例えば、共有されるファイルは、データファイルの何れかのタイプ、すなわちオーディオ、ビデオ、テキスト、データなどとすることができる。ユーザ間での共有されるファイルのネットワーク転送は、暗号化するか又は平文にすることができる。ビューイングソフトウェアは、実行のためユーザのシステムに自動的にダウンロードされる以外に、サーバ上に記憶してもよい。ファイル共有サーバは、共有されるファイルへのアクセスの複数のレベルをサポートすることができ、例えば、ファイルのプレビューバージョンを大きなグループ又は公開して利用可能にすることができ、フルバージョンのみをサブセットに利用可能にすることができる。用語「コンピュータ」を使用してきたが、この用語は、デスクトップコンピュータ、ラップトップコンピュータ、ハンドヘルドコンピュータ、タブレットコンピュータ、スマートフォン、パーソナルデジタルアシスタント、及びデータを相互に転送することができる何れかの他のデバイスを含む、何れかのコンピューティングマシンを包含するものとする。また、この教示を所与として、種々の他の実施例を公案することができる。
【００６０】
本発明によれば、上記に詳しく説明されたように、地理情報をコンテンツデータに関連付け、該関連付けられたデータを表示及び共有し、共有されるオンラインメディアファイルへのアクセスを制御するためのシステム及び方法が提供される。
【００６１】
本発明を幾つかの実施形態に関して説明してきたが、この教示を所与とした場合、本発明が図示の実施形態よりも遙かに広範囲であることは当業者には明らかなはずである。
【００６２】
例えば、ＧＰＳ受信機は通常、所与のロケーションの緯度及び経度を表す信号を提供することができ、ルックアップテーブルを利用して、この緯度及び経度を特定の都市、地域、州、及び／又は国に関連付けることができる。
【００６３】
更に、例えば、旅行のビデオクリップを取得及び検索する関連で本発明を説明してきたが、暗号化された地理情報もコンテンツデータに関連付けることができ、この暗号化された地理情報は、セキュアシステムによってのみアクセス可能である。この実施では、固有のカメラ識別子も含むことができ、セキュアシステムの特定のユーザだけがデータを復号することができる。このようにして、デジタル記録ビデオのロケーション及びコンテンツが検証され、耐タンパー性にレンダリングすることができる。
【００６４】
更に、旅行を記録し検証されたロケーションデータを提供することに加えて、他のアプリケーションは、不動産業者がこれらによって提示される種々の不動産の地理的に編成されたビデオを記録するのに使用することを含む。不動産のビデオクリップを記録した後、業者は、フリーのＷｉＦｉ接続を見つけ出し、不動産に対応するビデオをアップロードすることができる。次にこれらのビデオは、不動産ロケーションに応じて編成される。次いで、見込み購入者は、購入者の関心のあるエリアの近所のマップを見て、エリア内の不動産についてのビデオを見ることができる。関係付けられたオンラインシステムによって、好都合には、見込み購入者が業者にコンタクトすることを可能にすることができる。
【００６５】
従って、本明細書は、全てではないが一部の説明を表しており、従って、本発明の範囲は、本明細書に添付された請求項によってのみ限定されるものとする。
【符号の説明】
【００６６】
１０  コンテンツ検出システム
１２  デジタルビデオカメラ
１３  検出器
１４  地理情報検出器
１５  アンテナ
１６  相関モジュール
１８  アップロードコンポーネント
１９  ボタン
２２  アンテナ
【図１】
2014195297.tif 000003
【図２】
2014195297.tif 000004
【図３】
2014195297.tif 000005
【図４】
2014195297.tif 000006
【図５】
2014195297.tif 000007
【図６】
2014195297.tif 000008
【手続補正書】
【提出日】平成26年5月16日(2014.5.16)
【手続補正１】
【補正対象書類名】明細書
【補正対象項目名】００１５
【補正方法】変更
【補正の内容】
【００１５】
更に別の態様では、本発明は、ディスプレイ及び選択デバイスを含むグラフィカルユーザインターフェースを有するコンピュータシステムにおいて、ディスプレイ上の関係のあるグラフィックロケーション情報を有するコンテンツ項目を編成及び表示するメニューから提供及び選択する方法を対象としている。本方法のステップは、各々が地理ロケーションを表すメニューエントリのセットをメニューに対して検索する段階と、ディスプレイ上にメニューエントリのセットを表示する段階と、選択デバイスがメニューエントリのセットからの選択されたメニューエントリをポイントしていることを示すメニューエントリ選択信号を受信する段階と、信号に応答して、地理ロケーションに対応するコンテンツ項目のセットを表示する段階と、選択デバイスがコンテンツ項目のセットからの選択されたコンテンツ項目を指すポイントしていることを示すコンテンツ項目選択信号を受信する段階と、信号に応答して、選択されたコンテンツ項目をレンダリングする段階とを含む。
【手続補正２】
【補正対象書類名】明細書
【補正対象項目名】００２１
【補正方法】変更
【補正の内容】
【００２１】
別の態様では、本発明は、少なくとも１人のメンバーを有する共有グループを作成する段階と、デバイスでコンテンツの項目を受信し、デバイスでコンテンツの項目に関する地理ロケーション情報を受信して、コンテンツの項目を地理ロケーション情報に関連付ける段階と、関連付けられたコンテンツの項目及び地理ロケーション情報をネットワーク上のリモートシステムにアップロードする段階と、アップロードされたコンテンツの項目について共有グループの各メンバーに通知する段階とを含む、コンテンツの項目をグループと共有する方法を対象としている。共有グループのメンバーが、アップロードされたコンテンツの項目にアクセスを試みるときには、本方法の更なる段階は、各々が地理ロケーションを表すエントリのセットを検索する段階と、ディスプレイ上にエントリのセットを表示する段階と、選択デバイスがエントリのセットから選択されたエントリをポイントしていることを示すエントリ選択信号を受信する段階を含む。更なる段階は、信号に応答して、地理ロケーションに対応するコンテンツ項目のセットを表示する段階と、選択デバイスがコンテンツ項目のセットから選択されたコンテンツ項目をポイントしていることを示すコンテンツ項目選択信号を受信する段階と、信号に応答して、選択されたコンテンツ項目をレンダリングする段階とを含む。
【手続補正３】
【補正対象書類名】特許請求の範囲
【補正対象項目名】全文
【補正方法】変更
【補正の内容】
【特許請求の範囲】
【請求項１】
ディスプレイ及び選択デバイスを含み、グラフィカルユーザインターフェースを前記ディスプレイ上に表示するコンピュータシステムであって、
ａ．各々が地理ロケーションを表す、メニュー用のメニューエントリのセットを検索し、ここで、前記メニューは、関係付けられた地理ロケーション情報を有するコンテンツ項目を編成及び表示する、前記ディスプレイ上のメニューである手段と、
ｂ．前記メニューエントリのセットを前記ディスプレイ上に表示する手段と、
ｃ．前記選択デバイスが前記メニューエントリのセットから選択されたメニューエントリをポイントしていることを示すメニューエントリ選択信号を受信する手段と、
ｄ．前記信号に応答して、前記地理ロケーションに対応するコンテンツ項目のセットを表示する手段と、
ｅ．前記選択デバイスが前記コンテンツ項目のセットから選択されたコンテンツ項目をポイントしていることを示すコンテンツ項目選択信号を受信する手段と、
ｆ．前記信号に応答して、前記選択されたコンテンツ項目をレンダリングする手段と、
を含むコンピュータシステム。
【請求項２】
前記メニューエントリのセットを前記ディスプレイに表示する手段が、各メニューエントリがその地理ロケーションに対応するロケーションに配置された状態で、前記メニューエントリのセットをマップ上に表示する、
請求項１に記載のコンピュータシステム。
【請求項３】
各メニューエントリが、前記対応する地理ロケーション近傍の都市又は州の名前と共に表示される、
請求項２に記載のコンピュータシステム。
【請求項４】
前記表示されたメニューエントリ間に矢印を表示する手段を更に含み、前記矢印が、前記メニューエントリのタイムシーケンスを示す、
請求項２に記載のコンピュータシステム。
【請求項５】
ディスプレイ及び選択デバイスを含み、グラフィカルユーザインターフェースを前記ディスプレイ上に表示するコンピュータシステムにおいて、関係付けられた地理ロケーション情報を有するコンテンツ項目を編成及び表示する、前記ディスプレイ上のメニューから提供及び選択する方法であって、
ａ．各々が地理ロケーションを表す、メニュー用のメニューエントリのセットを検索する段階と、
ｂ．前記メニューエントリのセットを前記ディスプレイ上に表示する段階と、
ｃ．前記選択デバイスが前記メニューエントリのセットから選択されたメニューエントリをポイントしていることを示すメニューエントリ選択信号を受信する段階と、
ｄ．前記信号に応答して、前記地理ロケーションに対応するコンテンツ項目のセットを表示する段階と、
ｅ．前記選択デバイスが前記コンテンツ項目のセットから選択されたコンテンツ項目をポイントしていることを示すコンテンツ項目選択信号を受信する段階と、
ｆ．前記信号に応答して、前記選択されたコンテンツ項目をレンダリングする段階と、
を含む方法。
【請求項６】
前記メニューエントリのセットを前記ディスプレイに表示する段階が、各メニューエントリがその地理ロケーションに対応するロケーションに配置された状態で、前記メニューエントリのセットをマップ上に表示する段階を含む、
請求項５に記載の方法。
【請求項７】
各メニューエントリが、前記対応する地理ロケーション近傍の都市又は州の名前と共に表示される、
請求項６に記載の方法。
【請求項８】
前記表示されたメニューエントリ間に矢印を表示する段階を更に含み、前記矢印が、前記メニューエントリのタイムシーケンスを示す、
請求項６に記載の方法。
【請求項９】
請求項５の方法をコンピュータに実行させるためのプログラムを記憶したコンピュータ可読媒体。